(57)【特許請求の範囲】
【請求項１】
記録媒体の搬送路を形成する搬送ガイド及び前記搬送ガイドを前記搬送路が拡張するように変位させる搬送ガイド変位装置を含む記録媒体除去装置と、
前記記録媒体除去装置の記録媒体搬送方向上流に配置され、前記記録媒体の厚さが第１の閾値以上の厚さであるときに出力信号を変化させる第１厚さセンサと、
前記第１厚さセンサの記録媒体搬送方向下流に配置され、前記搬送路を通過する前記記録媒体の厚さを検知し、前記搬送ガイドとともに前記搬送路が拡張するように変位する第２厚さセンサと、
前記第１厚さセンサの出力信号が変化した場合、前記記録媒体除去装置に前記第２厚さセンサ及び前記搬送ガイドを前記搬送路が拡張するように変位させる制御部と、
を備える記録媒体搬送装置。
【請求項２】
第１厚さセンサの記録媒体搬送方向下流に設けられ、搬送不可能と判定された記録媒体を記録媒体搬送路から除去する除去機構をさらに備える請求項１記載の記録媒体搬送装置。
【請求項３】
前記除去機構は、
記録媒体を記録媒体搬送方向に搬送する搬送駆動ローラと、
前記搬送駆動ローラに従動する搬送ローラと、
前記搬送ローラを昇降させる搬送ローラソレノイドと、
前記搬送駆動ローラを駆動する搬送モータと、
記録媒体搬送方向に対して側方に設けられ、記録媒体搬送方向に対して平行に回転軸を有する一対の排出ローラと、
排出ローラを駆動させる排出モータと、
を備える請求項２記載の記録媒体搬送装置。
【請求項４】
前記搬送駆動ローラの回転を変速して前記搬送ローラに伝達し、前記搬送ローラの記録媒体搬送速度を変速する変速機構と、
前記変速機構を制御する制御部と、をさらに備え、
前記制御部は、
前記第１厚さセンサ及び前記第２厚さセンサの少なくとも一方の出力に基づいて前記記録媒体が搬送不可能であると判定したとき、前記搬送ガイドを記録媒体搬送路が拡張するように変位させ、搬送ローラの記録媒体搬送速度を減速させる請求項３記載の記録媒体搬送装置。
【請求項５】
記録媒体の搬送路を形成する搬送ガイド及び前記搬送ガイドを前記搬送路が拡張するように変位させる搬送ガイド変位装置を含む記録媒体除去装置と、
前記記録媒体除去装置の記録媒体搬送方向上流に配置され、前記記録媒体の厚さが第１の閾値以上の厚さであるときに出力信号を変化させる第１厚さセンサと、
前記第１厚さセンサの記録媒体搬送方向下流に配置され、前記搬送路を通過する前記記録媒体の厚さを検知し、前記搬送ガイドとともに前記搬送路が拡張するように変位する第２厚さセンサと、
前記第１厚さセンサの出力信号が変化した場合、前記記録媒体除去装置に前記第２厚さセンサ及び前記搬送ガイドを前記搬送路が拡張するように変位させる制御部と、
前記搬送ガイドの記録媒体搬送方向下流に配置され、前記記録媒体を消色温度以上に加熱する加熱装置と、
を備える消色装置。
【請求項６】
第１厚さセンサの記録媒体搬送方向下流に設けられ、搬送不可能と判定された記録媒体を記録媒体搬送路から除去する除去機構をさらに備える請求項５記載の消色装置。
【請求項７】
前記除去機構は、
記録媒体を記録媒体搬送方向に搬送する搬送駆動ローラと、
前記搬送駆動ローラに従動する搬送ローラと、
前記搬送ローラを昇降させる搬送ローラソレノイドと、
前記搬送駆動ローラを駆動する搬送モータと、
記録媒体搬送方向に対して側方に設けられ、記録媒体搬送方向に対して平行に回転軸を有する一対の排出ローラと、
排出ローラを駆動させる排出モータと、
を備える請求項６記載の消色装置。
【請求項８】
前記搬送駆動ローラの回転を変速して前記搬送ローラに伝達し、搬送ローラの記録媒体搬送速度を変速する変速機構と、
前記変速機構を制御する制御部と、をさらに備え、
前記制御部は、
前記第１厚さセンサ及び前記第２厚さセンサの少なくとも一方の出力に基づいて前記記録媒体が搬送不可能であると判定したとき、前記搬送ガイドを記録媒体搬送路が拡張するように変位させ、搬送ローラの記録媒体搬送速度を減速させる請求項７記載の消色装置。
【請求項９】
原稿を載置する原稿トレイと、
前記原稿トレイから原稿を取り出すピックアップローラと、
前記原稿を搬送する搬送機構の原稿送りローラと、
前記原稿の搬送路を形成する搬送ガイド及び前記搬送ガイドを前記搬送路が拡張するように変位させる搬送ガイド変位装置を含む原稿除去装置と、
前記原稿除去装置の原稿搬送方向上流に配置され、前記原稿の厚さが第１の閾値以上の厚さであるときに出力信号を変化させる第１厚さセンサと、
前記第１厚さセンサの記録媒体搬送方向下流に配置され、前記搬送路を通過する前記原稿の厚さを検知する第２厚さセンサと、
前記第１厚さセンサの出力信号が変化した場合、前記原稿除去装置に前記第２厚さセンサ及び前記搬送ガイドを前記搬送路が拡張するように変位させる制御部と、
前記原稿をスキャン位置に通過させる原稿読み取り部と、
前記原稿の表裏を反転させる原稿反転機構と、
前記原稿を排出して積載する排紙トレイと、
を備える自動原稿供給装置。
【請求項１０】
前記原稿送りローラは、
前記原稿が搬送不可能と判定されたときに逆回転して前記原稿を排出する請求項９記載の自動原稿供給装置。
【請求項１１】
第１厚さセンサにより記録媒体の厚さが第１の閾値以上の厚さであると判定したとき、前記第１厚さセンサの記録媒体搬送方向下流に設けられ、記録媒体搬送路を通過する前記記録媒体の厚さを検知する第２厚さセンサ及び前記記録媒体搬送路を形成する搬送ガイドを記録媒体搬送路が拡張するように変位させ、
記録媒体を除去する記録媒体除去方法。
【請求項１２】
前記第１厚さセンサにより記録媒体の厚さが第１の閾値以上の厚さであると判定せず、前記搬送ガイドとともに変位する第２厚さセンサにより記録媒体の厚さが第２の閾値以上の厚さであると判定したとき、前記記録媒体を除去する請求項１１記載の記録媒体除去方法。
【請求項１３】
搬送不可能と判定された前記記録媒体を、搬送駆動ローラ及び搬送ローラによって挟持しながら排出ローラに搬送し、
前記搬送駆動ローラ及び前記搬送ローラが解放した前記記録媒体を前記排出ローラにより記録媒体搬送方向に対して垂直方向に排出する請求項１１記載の記録媒体除去方法。
【発明の詳細な説明】
【技術分野】
【０００１】
本発明の実施形態は、記録媒体除去装置、消色装置、自動原稿供給装置及び記録媒体除去方法に関する。
【背景技術】
【０００２】
資源の節約のため、消色可能な現像材を使用して画像形成を行うことがある。消色可能な現像材としては熱によって色が消えるトナー、インクなどがある。この消色可能な現像材によって画像形成された記録媒体は、消色装置によって加熱され、消色されたのちに再利用される。
【０００３】
しかし、消色装置に投入される記録媒体は一枚ずつばらばらになった状態であるとは限らない。例えば、ステイプルされた用紙束、糊付けされて製本された用紙束、等も投入されることがある。
【０００４】
このような用紙束が搬送されると、ジャムが発生するだけでなく、消色装置が破損することがある。
【０００５】
この点に関し、重送センサ、厚さセンサを記録媒体搬送路に設置し、複数枚の記録媒体が同時に搬送された場合に廃棄ボックスに廃棄する技術が提案されている。
【先行技術文献】
【特許文献】
【０００６】
【特許文献１】特開２００３−２６１２５８号公報
【発明の概要】
【発明が解決しようとする課題】
【０００７】
しかし、厚さセンサの測定許容範囲以上の厚さを持つ用紙束が搬送された場合、ジャムが発生するだけでなく、厚さセンサが破損する。
【０００８】
従って、厚さセンサの許容範囲を超える厚さの用紙束が搬送されてきた場合でも厚さセンサを破損することなくこの用紙束を除去することが可能な記録媒体除去装置、消色装置、自動原稿供給装置及び記録媒体除去方法が求められている。
【課題を解決するための手段】
【０００９】
上記の課題を解決するために、本発明の一実施形態は、記録媒体の搬送路を形成する搬送ガイド及び搬送ガイドを搬送路が拡張するように変位させる搬送ガイド変位装置を含む記録媒体除去装置と、記録媒体除去装置の記録媒体搬送方向上流に配置され、記録媒体の厚さが第１の閾値以上の厚さであるときに出力信号を変化させる第１厚さセンサと、第１厚さセンサの記録媒体搬送方向下流に配置され、搬送路を通過する記録媒体の厚さを検知し、搬送ガイドとともに搬送路が拡張するように変位する第２厚さセンサと、第１厚さセンサの出力信号が変化した場合、記録媒体除去装置に第２厚さセンサ及び搬送ガイドを搬送路が拡張するように変位させる制御部と、を備える記録媒体搬送装置搬送ガイドの記録媒体搬送方向下流に配置され、記録媒体を消色温度以上に加熱する加熱装置と、を備える消色装置を提供する。
【図面の簡単な説明】
【００１０】
【図１】記録媒体除去装置を含む消色装置の側面図である。
【図２】記録媒体除去装置の記録媒体搬送部分の斜視図である。
【図３】記録媒体除去装置が搬送ガイドを上昇させたときの様子を示す図である。
【図４】記録媒体除去装置の側面図である。
【図５】記録媒体除去装置の搬送ガイドを上昇させたときの側面図である。
【図６】記録媒体除去装置を記録媒体搬送方向上流から見た正面図である。
【図７】記録媒体除去装置が搬送ガイドを上昇させたときの様子を示す正面図である。
【図８】消色装置の構成を示すブロック図である。
【図９】記録媒体除去装置を模式的に表した図である。
【図１０】記録媒体除去装置が搬送ガイドを上昇させた様子を模式的に表した図である。
【図１１】搬送ローラの変速機構を示す図である。
【図１２】搬送ローラの変速機構を示す図である。
【図１３】消色装置の動作を示すフローチャートである。
【図１４】記録媒体除去装置を含む自動原稿供給装置の側面図である。
【図１５】自動原稿供給装置が搬送ガイドを変位させた様子を示す図である。
【図１６】自動原稿供給装置の構成を示すブロック図である。
【図１７】自動原稿供給装置の動作を示す図である。
【発明を実施するための形態】
【００１１】
以下、記録媒体除去装置、消色装置、自動原稿供給装置及び記録媒体除去方法の一実施形態について、図面を用いて詳細に説明する。
【００１２】
本実施形態の記録媒体除去装置は、記録媒体の厚さが第１の閾値以上の厚さであるときに出力信号を変化させる第１厚さセンサと、第１厚さセンサの記録媒体搬送方向下流に設けられ、記録媒体の搬送路を形成する搬送ガイドと、搬送ガイドを記録媒体搬送路が拡張するように変位させる搬送ガイド変位装置と、を備える。
【００１３】
本実施形態の消色装置は、記録媒体を搬送する記録媒体搬送機構と、記録媒体の厚さが第１の閾値以上の厚さであるときに出力信号を変化させる第１厚さセンサと、第１厚さセンサの記録媒体搬送方向下流に設けられ、記録媒体の搬送路を形成する搬送ガイドと、搬送ガイドを記録媒体搬送路が拡張するように変位させる搬送ガイド変位装置と、記録媒体を消色温度以上に加熱する加熱ローラと、を備える。
【００１４】
本実施形態の自動原稿供給装置は、原稿を載置する原稿トレイと、原稿トレイから原稿を取り出すピックアップローラと、原稿を搬送する搬送機構の原稿送りローラと、原稿の厚さが第１の閾値以上の厚さであるときに出力信号を変化させる第１厚さセンサと、第１厚さセンサの原稿搬送方向下流に設けられ、原稿搬送路を形成する搬送ガイドと、搬送ガイドを原稿搬送路が拡張するように変位させる搬送ガイド変位装置と、原稿をスキャン位置に通過させる原稿読み取り部と、  原稿の表裏を反転させる原稿反転機構と、原稿を排出して積載する排紙トレイと、を備える。
【００１５】
（第１の実施形態）
図１は、記録媒体除去装置２００を含む消色装置１０の側面図である。図１に示すように、消色装置１０は、消色する記録媒体を載置する入口トレイ１０１と、入口トレイ１０１に載置された記録媒体を一枚ずつ取り出すピックアップローラ１０２と、記録媒体の通過を検知する通過センサ１０３と、記録媒体の重送を検知する重送センサ１０４と、記録媒体を搬送する搬送ローラ１０６と、搬送不能と判定された記録媒体を記録媒体搬送路から除去する記録媒体除去装置２００と、記録媒体を消色温度以上に加熱する加熱装置である加熱ローラ１０７と、記録媒体上の画像が消色されているかを検知する画像検知センサ１０８と、記録媒体の搬送路を切り替える切り替え装置１０９と、再利用可能な記録媒体を蓄積する再利用ボックス１１０と、再利用不可能な記録媒体を蓄積する廃棄ボックス１１１と、制御部と、を備える。
【００１６】
重送センサ１０４は例えば超音波を記録媒体の一方の面から他方の面に向けて通過させ、通過した超音波のレベルを出力する。制御部はこのレベルに基づいて重送を判定する。
【００１７】
加熱装置である加熱ローラ１０７は金属によって形成され、内部にヒータを有する。加熱ローラ１０７は記録媒体上の消色可能な現像材を消色温度以上に加熱して記録媒体を消色する。
【００１８】
加熱装置は記録媒体を消色温度以上に加熱できればよく、熱源は問わない。加熱装置は例えば、サーマルヘッド、ハロゲンヒーター、グラファイトヒーター、ＩＨ（Induction Heater）、発熱ランプを内蔵した熱伝導性材料によって形成されるローラなど、を採用できる。
【００１９】
加熱装置は記録媒体に接触せずに加熱する熱源を採用できる。
【００２０】
消色可能な現像材は、呈色性化合物、顕色剤、消色剤を含む。呈色性化合物は、例えばロイコ染料が挙げられる。顕色剤は、例えばフェノール類が挙げられる。消色剤は、加熱されると呈色性化合物と相溶し、顕色剤と親和性を有さない物質が挙げられる。
【００２１】
消色可能な現像材は、呈色性化合物と顕色剤との相互作用により発色し、消色温度以上の加熱により呈色性化合物と顕色剤との相互作用が絶たれるため、消色する。
【００２２】
消色されなかった画像が存在することにより再利用不可能と判定された記録媒体は、切り替え装置１０９によって切り替えられた記録媒体搬送路を経由して廃棄ボックス１１１に蓄積される。
【００２３】
記録媒体除去装置２００は、記録媒体の厚さが第１の閾値以上の厚さであるかを判定する厚さ判定装置２０１と、記録媒体の搬送路を形成する搬送ガイド２０２と、搬送ガイド２０２を昇降させる搬送ガイド変位装置２０３と、搬送不可能と判定された記録媒体を記録媒体搬送路から除去する除去機構２０４と、を備える。
【００２４】
記録媒体除去装置２００は、加熱ローラ１０７の記録媒体搬送方向上流に設置される。記録媒体除去装置２００は記録媒体搬送路の最初の曲線部分より記録媒体搬送方向上流に設置される。
【００２５】
記録媒体除去装置２００は厚さ判定装置２０１を搬送ガイド２０２のより記録媒体搬送方向上流に有する。
【００２６】
記録媒体除去装置２００は除去機構２０４を、記録媒体搬送路を挟んで搬送ガイド２０２下方に有する。
【００２７】
記録媒体除去装置２００は除去機構２０４の下方に廃棄ボックス１１１を有する。
【００２８】
図２は、記録媒体除去装置２００の記録媒体搬送部分の斜視図である。図２は搬送ガイド２０２が降下したときの様子を示す。図２に示すように、搬送ガイド２０２は板形状をなし、搬送ガイド変位装置２０３は搬送ガイド２０２を昇降可能に支持する。記録媒体除去装置２００は、記録媒体の厚さを検知する厚さ検知機構２０１Ａを記録媒体搬送路に複数有する。
【００２９】
図３は、記録媒体除去装置２００が搬送ガイド２０２を上昇させたときの様子を示す図である。図３に示すように、厚さ判定装置２０１により消色装置１０が記録媒体の厚さが第１の閾値以上の厚さであると判定した場合、搬送ガイド２０２を上昇するように変位させ、記録媒体搬送路を拡張する。
【００３０】
図４は、記録媒体除去装置２００の側面図である。図４は搬送ガイド２０２が降下したときの様子を示す。図４に示すように、厚さ判定装置２０１は、記録媒体を厚さ判定装置２０１に投入する投入ローラ２０１Ｂと、記録媒体の厚さに応じて上下する検知ローラ２０１Ａ１と、検知ローラ２０１Ａ１を回動可能に支持するアクチュエータ２０１Ａ２と、記録媒体の厚さが第１の閾値以上の厚さであるときにアクチュエータ２０１Ａ２の回動に従って出力信号をＯＦＦからＯＮに変化させる第１厚さセンサ２０１Ａ３と、を備える。
【００３１】
搬送ガイド２０２は、記録媒体の厚さを検知する第２厚さセンサ２０２Ａ１を、記録媒体搬送路側に有する。
【００３２】
第２厚さセンサ２０２Ａ１は記録媒体にアクチュエータを当接させ、このアクチュエータの動きを永久磁石に伝え、永久磁石の動きを磁気センサによって検知し、記録媒体の厚みに応じた信号を出力する。制御部はこの出力信号に基づいて記録媒体の厚さを判定する。
【００３３】
第２厚さセンサ２０２Ａ１は搬送ガイド２０２の昇降に従って昇降する。消色装置１０は、第２厚さセンサ２０２Ａ１により記録媒体が第１の閾値より小さい第２の閾値以上の厚さであるかを判定する。
【００３４】
除去機構２０４は、記録媒体を記録媒体搬送方向に搬送する搬送駆動ローラ２０４Ａと、搬送駆動ローラ２０４Ａに従動する搬送ローラ２０４Ａ２と、搬送ローラ２０４Ａ２を昇降させる搬送ローラソレノイド２０４Ａ３と、搬送駆動ローラ２０４Ａを駆動する搬送モータ２０４Ａ１と、を備える。
【００３５】
除去機構２０４は、さらに、記録媒体搬送方向に対して右端、又は左端である側方に記録媒体搬送方向に対して平行に回転軸を有する一対の排出ローラ２０４Ｂと、排出ローラ２０４Ｂを駆動させる排出モータ２０４Ｂ１と、を備える。
【００３６】
図５は、記録媒体除去装置２００の搬送ガイド２０２を上昇させたときの側面図である。図５に示すように、消色装置１０は、厚さ判定装置２０１により消色装置１０が記録媒体の厚さが第１の閾値以上の厚さであると判定した場合、搬送ガイド２０２を第２厚さセンサ２０２Ａ１とともに上昇させ、記録媒体搬送路を拡張する。
【００３７】
図６は、記録媒体除去装置２００を記録媒体搬送方向上流から見た正面図である。図７は、記録媒体除去装置２００が搬送ガイド２０２を上昇させたときの様子を示す正面図である。
【００３８】
図６及び図７に示すように、除去機構２０４は繋ぐことにより搬送駆動ローラ２０４Ａ及び搬送ローラ２０４Ａ２を記録媒体搬送方向に対して垂直方向排出ローラ２０４Ｂ側に移動させるクラッチ２０４Ａ５と、垂直移動機構２０４Ａ４と、を備える。
【００３９】
消色装置１０は、厚さ判定装置２０１により消色装置１０が記録媒体の厚さが第１の閾値以上の厚さであると判定した場合、まず搬送ガイド２０２を第２厚さセンサ２０２Ａ１とともに上昇させる。この時、搬送駆動ローラ２０４Ａと搬送ローラ２０４Ａ２は記録媒体を挟んだままである。
【００４０】
次に、消色装置１０は、クラッチ２０４Ａ５をＯＮ、すなわち繋ぎ、排出モータ２０４Ｂ１を駆動させる。垂直移動機構２０４Ａ４は搬送駆動ローラ２０４Ａ及び搬送ローラ２０４Ａ２を記録媒体搬送方向に対して垂直方向排出ローラ２０４Ｂ側に移動させる。従って、記録媒体の側端は排出ローラ２０４Ｂに達する。
【００４１】
消色装置１０は、記録媒体の側端が排出ローラ２０４Ｂに達したことを排出ローラ２０４Ｂ横に設置される排紙センサ８０７によって検知したとき、クラッチ２０４Ａ５をＯＦＦ、すなわち離し、搬送ローラソレノイド２０４Ａ３により搬送ローラ２０４Ａ２を上昇させ、記録媒体を解放する。
【００４２】
排出ローラ２０４Ｂは解放された記録媒体を廃棄ボックス１１１に排出する。
【００４３】
図８は、消色装置１０の構成を示すブロック図である。図８に示すように、消色装置１０は制御部であるメインＣＰＵ８０１と、表示装置であるコントロールパネル８０２と、記憶装置であるＲＯＭ・ＲＡＭ８０３と、を備える。
【００４４】
メインＣＰＵ８０１は消色装置１０が備える重送センサ１０４と、第１厚さセンサ２０１Ａ３と、第２厚さセンサ２０２Ａ１と、除去機構２０４の記録媒体搬送路下端に設けられ、記録媒体が排出可能位置に達したことを検知する通過センサ８０６と、排紙センサ８０７と、に接続し、これらのセンサの出力を入力する。
【００４５】
メインＣＰＵ８０１は加熱ローラ１０７を駆動する消去装置８０４と、記録媒体搬送装置８０５と、搬送モータ２０４Ａ１と、排出モータ２０４Ｂ１と、クラッチ２０４Ａ５と、搬送ローラソレノイド２０４Ａ３と、搬送ガイド変位装置２０３を駆動させ、搬送ガイド２０２を昇降させる搬送ガイドソレノイド２０２Ａ２と、に接続し、これらの装置の動作を制御する。
【００４６】
図９は、記録媒体除去装置２００を模式的に表した図である。図１０は、記録媒体除去装置２００が搬送ガイド２０２を上昇させた様子を模式的に表した図である。
【００４７】
図９及び図１０に示すように、投入ローラ２０１Ｂ及び厚さ判定装置２０１の記録媒体搬送路を形成する投入ガイド２０１Ｂ２は、弾性部材２０１Ｂ１により上下に変位可能に係止される。搬送ガイド２０２は弾性部材２０２Ｂにより上下に変位可能に係止される。
【００４８】
図１１及び図１２は、搬送ローラ２０４Ａの変速機構を示す図である。消色装置１０は、記録媒体の厚さが第１の閾値又は第２の閾値以上の厚さであると判定した場合、記録媒体の搬送速度を変化させる。
【００４９】
具体的には、消色装置１０は搬送可能と判定された記録媒体の搬送速度が搬送不可能と判定された記録媒体の搬送速度を超えるように搬送速度を変化させる。消色装置１０は搬送不可能であると判定した場合に記録媒体の搬送速度を落とす。または、消色装置１０は搬送可能であると判定した場合に記録媒体の搬送速度を上げる。搬送速度が下がると搬送トルクが大きくなり、厚い記録媒体も搬送可能となる。
【００５０】
変速機構として搬送モータ２０４Ａ１にステッピングモータを使用している場合は、消色装置１０はステッピングパルスのパルス幅を狭くして搬送速度を上げ、パルス幅を広くして搬送速度を下げる。
【００５１】
消色装置１０は変速機構を用いることもできる。図１１及び図１２に示すように、変速機構は搬送モータ２０４Ａ１が駆動する遊星ギア１１０１と遊星ギア１１０１により駆動される複数のギアを有する第１のギア列１１０２と、第１のギア列１１０２よりギアの数が複数個少なく、ギアの歯数が第１のギア列１１０２のギアの歯数より少ない第２のギア列１１０３と、第１のギア列１１０２の最終ギア１１０２Ａ、第２のギア列１１０３の最終ギア１１０３Ａ、及び搬送ローラ２０４Ａに接続する最終従動ギア１１０４と、を備える。
【００５２】
図１１に示すように、搬送モータ２０４Ａ１が矢印Ｘ１の方向に正転するとき、遊星ギア１１０１は第１のギア列１１０２側に倒れ、第１のギア列１１０２を駆動する。
【００５３】
図１２に示すように、搬送モータ２０４Ａ１が矢印Ｘ２の方向に逆転するとき、遊星ギア１１０１は第２のギア列側１１０３に倒れ、第２のギア列１１０３を駆動する。
【００５４】
ここで、第２のギア列１１０３のギアの歯数は第１のギア列１１０２の歯数より少なく、第１のギア列１１０２のギアの数は第２のギア列１１０３のギアの数より複数個多い。従って、搬送モータ２０４Ａ１が矢印Ｘ１の方向に正転するとき、搬送ローラ２０４Ａは矢印Ｘ３の方向に低速高トルクにて回転し、搬送モータ２０４Ａ１が矢印Ｘ２の方向に逆転するとき、搬送ローラ２０４Ａは矢印Ｘ３の方向に高速低トルクにて回転する。
【００５５】
図１３は、消色装置１０の動作を示すフローチャートである。図１３に示すように、動作１３０１において、消色装置１０は記録媒体を搬送し、記録媒体除去装置２００に投入する。
【００５６】
動作１３０２において、消色装置１０は第１厚さセンサ２０１Ａ３がＯＮしたかを判定する。消色装置１０は、第１厚さセンサ２０１Ａ３がＯＮしたと判定した場合動作１３０３に進み、ＯＮしないと判定した場合動作１３０４に進む。
【００５７】
動作１３０３において、消色装置１０は搬送ガイド２０２を上昇させる。
【００５８】
動作１３０５において、消色装置１０は通過センサ８０６が記録媒体を検知したかを判定する。消色装置１０は通過センサ８０６が記録媒体を検知した場合動作１３０７に進み、検知しない場合、動作１３０５に戻る。
【００５９】
動作１３０７において、消色装置１０はクラッチ２０４Ａ５をＯＮさせ、垂直移動機構２０４Ａ４により搬送駆動ローラ２０４Ａ及び搬送ローラ２０４Ａ２に挟まれた記録媒体を記録媒体搬送方向に対して垂直方向排出ローラ２０４Ｂ側に移動させる。
【００６０】
動作１３０８において、消色装置１０は排出ローラ２０４Ｂを回転させる。
【００６１】
動作１３０９において、消色装置１０は排紙センサ８０７が記録媒体を検知したかを判定する。消色装置１０は、排紙センサ８０７が記録媒体を検知したと判定したとき動作１３１０に進み、検知したと判定しないとき動作１３０９に戻る。
【００６２】
動作１３１０において、消色装置１０はクラッチ２０４Ａ５をＯＦＦさせる。
【００６３】
動作１３１１において、消色装置１０は搬送ローラ２０４Ａ２を上昇させる。従って、記録媒体は排出ローラ２０４Ｂにより廃棄ボックス１１１に排出される。
【００６４】
動作１３１２において、消色装置１０は排紙センサ８０７が記録媒体を検知したかを判定する。消色装置１０は、排紙センサ８０７が記録媒体を検知したと判定したとき、動作１３０１に戻り、検知したと判定しないとき、動作１３１１に戻る。
【００６５】
動作１３０４において、消色装置１０は搬送ガイド２０２を下げる。動作１３０６において、消色装置１０は記録媒体を搬送する。
【００６６】
動作１３１３において、消色装置１０は第２厚さセンサ２０２Ａ１の出力に基づいて記録媒体の厚さが第２の閾値以上であるかを判定する。消色装置１０は、記録媒体の厚さが第２の閾値以上であると判定したとき動作１３０３に進み、記録媒体の厚さが第２の閾値以上であると判定しないとき動作１３１４に進む。
【００６７】
動作１３１４において、消色装置１０は記録媒体に対して消色動作を実行する。
【００６８】
以上のべたように、本実施形態の記録媒体除去装置２００を含む消色装置１０は、記録媒体の厚さが第１の閾値以上の厚さであるかを判定する厚さ判定装置２０１と、記録媒体の搬送路を形成する搬送ガイド２０２と、記録媒体の厚さが第１の閾値以上の厚さであると判定した場合搬送ガイド２０２を上昇させる搬送ガイド変位装置２０３と、搬送不可能と判定された記録媒体を記録媒体搬送路から除去する除去機構２０４と、を備える。
【００６９】
従って、厚さセンサの許容範囲を超える厚さの用紙束が搬送されてきた場合でも厚さセンサを破損することなくこの用紙束を除去することが可能となるという効果がある。
【００７０】
（第２の実施形態）
図１４は、記録媒体除去装置２００を含む自動原稿供給装置２０の側面図である。図１４に示すように自動用紙供給装置２０は、原稿を載置する原稿トレイ３０１と、原稿トレイ３０１から原稿を１枚ずつ取り出すピックアップローラ３０２と、重送センサ１０４と、原稿を搬送する搬送機構の原稿送りローラ３０３と、第１厚さセンサ２０１Ａ３と、第１厚さセンサ２０１Ａ３の記録媒体搬送方向下流に設けられる搬送ガイド２０２と、搬送ガイド２０２を内側方向に記録媒体搬送路を拡張するように変位させる搬送ガイドソレノイド２０２Ａ２と、搬送ガイド２０２とともに変位する第２厚さセンサ２０２Ａ１と、記録媒体を搬送する搬送ローラ２０４Ａ９と、切欠き部又は透明な材質により形成され、原稿をスキャン位置に通過させる原稿読み取り部３０４と、原稿の表裏を反転させる原稿反転機構３０６と、原稿を排出して積載する排紙トレイ３０５と、を備える。
【００７１】
記録媒体除去装置２００は、第１厚さセンサ２０１Ａ３と、搬送ガイド２０２と、搬送ガイドソレノイド２０２Ａ２と、を備え、原稿読み取り部３０４の原稿送り方向上流に設けられる。
【００７２】
図１５は、自動原稿供給装置２０が搬送ガイド２０２を変位させた様子を示す図である。
【００７３】
図１５に示すように、自動原稿供給装置２０は、ピックアップローラ３０２により原稿を取り出し、原稿送りローラ３０３により原稿を原稿読み取り部３０４の方向に搬送する。自動原稿送り装置２０は、原稿読み取り部３０４を経由した原稿を原稿反転機構３０６により表裏を反転し、再び原稿読み取り部３０４を通過させる。そして、原稿を排紙トレイ３０５に排紙する。
【００７４】
自動原稿供給装置２０は、第１厚さセンサ２０１Ａ３により原稿の厚さが第１の閾値以上であると判定したとき、搬送ガイド２０２を変位させて記録媒体搬送路を拡張させる。
【００７５】
次に、自動原稿供給装置２０は搬送ローラ２０４Ａ９を駆動する搬送モータ２０４Ａ８及び原稿送りローラ３０３を逆転させて原稿を原稿トレイ３０１に排出する。
【００７６】
自動原稿供給装置２０は搬送モータ２０４Ａ８及び原稿送りローラ３０３を逆転させる際に、搬送スピードを変化させる。
【００７７】
具体的には、自動原稿供給装置２０は搬送可能と判定された記録媒体の搬送速度が搬送不可能と判定された記録媒体の搬送速度を超えるように搬送速度を変化させる。自動原稿供給装置２０は搬送不可能であると判定した場合に記録媒体の搬送速度を落とす。または、自動原稿供給装置２０は搬送可能であると判定した場合に記録媒体の搬送速度を上げる。搬送速度が下がると搬送トルクが大きくなり、厚い記録媒体も搬送可能となる。
【００７８】
搬送モータ２０４Ａ８にステッピングモータを使用している場合は、自動原稿供給装置２０はステッピングパルスのパルス幅を狭くして搬送速度を上げ、パルス幅を広くして搬送速度を下げる。
【００７９】
自動原稿供給装置２０は第１の実施形態に記載した変速機構を用いることもできる。
【００８０】
図１６は、自動原稿供給装置２０の構成を示すブロック図である。図１６に示すように、自動原稿供給装置２０は制御部であるメインＣＰＵ８０１と、記憶装置であるＲＯＭ・ＲＡＭ８０３と、を備える。
【００８１】
メインＣＰＵ８０１は自動原稿供給装置２０が備える重送センサ１０４と、第１厚さセンサ２０１Ａ３と、第２厚さセンサ２０２Ａ１と、原稿搬送路入り口に設けられる通過センサ８０６と、に接続し、これらのセンサの出力を入力する。
【００８２】
メインＣＰＵ８０１は記録媒体搬送装置８０５と、搬送モータ２０４Ａ１と、搬送ガイド変位装置２０３を駆動させ、搬送ガイド２０２を昇降させる搬送ガイドソレノイド２０２Ａ２と、に接続し、これらの装置の動作を制御する。
【００８３】
図１７は、自動原稿供給装置２０の動作を示す図である。図１７に示すように、動作１７０１において、自動原稿供給装置２０は原稿を搬送する。
【００８４】
動作１７０２において、自動原稿供給装置２０は第１厚さセンサ２０１Ａ３がＯＮしたかを判定する。自動原稿供給装置２０は、第１厚さセンサ２０１Ａ３がＯＮした場合動作１７０３に進み、ＯＮしない場合動作１７０６に進む。
【００８５】
動作１７０３において、自動原稿供給装置２０は搬送ガイド２０２を上昇させる。
【００８６】
動作１７０４において、自動原稿供給装置２０は搬送ローラ２０４Ａ９及び原稿送りローラ３０３を逆転させる。
【００８７】
動作１７０５において、自動原稿供給装置２０は通過センサ８０６が記録媒体を検知したかを判定する。自動原稿供給装置２０は通過センサ８０６が記録媒体を検知しない場合処理を終了し、検知した場合、動作１７０５に戻る。
【００８８】
動作１７０６において、自動原稿供給装置２０は搬送ガイド２０２をホームポジションに変位させる。
【００８９】
動作１７０７において、自動原稿供給装置２０は原稿を搬送する。
【００９０】
動作１７０８において、自動原稿供給装置２０は第２厚さセンサ２０２Ａ１の出力に基づいて記録媒体の厚さが第２の閾値以上であるかを判定する。自動原稿供給装置２０は、記録媒体の厚さが第２の閾値以上であると判定したとき動作１７０３に進み、記録媒体の厚さが第２の閾値以上であるかと判定しないとき動作１７０９に進む。
【００９１】
動作１７０９において、自動原稿供給装置２０は原稿を原稿読み取り部３０４に搬送し、動作１７０１に戻る。
【００９２】
以上のべたように、本実施形態の記録媒体除去装置２００を含む自動用紙供給装置２０は、原稿の厚さを検知する第１厚さセンサ２０１Ａ３と、原稿の搬送路を形成する搬送ガイド２０２と、原稿の厚さが第１の閾値以上の厚さであると判定した場合搬送ガイド２０２を上昇させる搬送ガイドソレノイド２０２Ａ２と、を備える。
【００９３】
従って、厚さセンサの許容範囲を超える厚さの用紙束が搬送されてきた場合でも厚さセンサを破損することなくこの用紙束を逆走させて除去することが可能とうなるという効果がある。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
２００：記録媒体除去装置
２０１：厚さ判定装置
２０２：搬送ガイド
２０３：搬送ガイド変位装置
２０４：除去機構
【図１】
0005634305.tif 000002
【図２】
0005634305.tif 000003
【図３】
0005634305.tif 000004
【図４】
0005634305.tif 000005
【図５】
0005634305.tif 000006
【図６】
0005634305.tif 000007
【図７】
0005634305.tif 000008
【図８】
0005634305.tif 000009
【図９】
0005634305.tif 000010
【図１０】
0005634305.tif 000011
【図１１】
0005634305.tif 000012
【図１２】
0005634305.tif 000013
【図１３】
0005634305.tif 000014
【図１４】
0005634305.tif 000015
【図１５】
0005634305.tif 000016
【図１６】
0005634305.tif 000017
【図１７】
0005634305.tif 000018